(57)【要約】【課題】  スペースを有効利用し得る陳列棚を提供する。【解決手段】  陳列棚１０は、側板２４，２６と、棚板１２ａと、を備える。側板２４は、側板２６の長辺３２において側板２６に対して回動可能に連結されている。棚板１２ａは、一端が側板２６に回動可能に連結されるとともに他端が側板２４に回動可能に連結されている。また、棚板１２ａは、一端と他端との間で長辺３２から延びる折曲線において折り曲げ可能である。側板２４，２６が棚板１２ａを挟んで閉じられている折畳状態から側板２４が側板２６に対して回動して、側板２４，２６が展開される展開状態に遷移すると、棚板１２ａが、側板２４，２６に対して回動することによって展開される。【選択図】  図１
2017006366.tif 000002
【特許請求の範囲】
【請求項１】
折り畳み可能な陳列棚であって、
第１側板と、
前記第１の側板上で上下方向に延びる第１回転軸において前記第１側板に対して回動可能に連結されている第２側板と、
一端が前記第１側板に回動可能に連結されるとともに他端が前記第２側板に回動可能に連結されており、前記一端と前記他端との間で前記第１回転軸から延びる第１折曲線において折り曲げ可能な第１棚板と、を備え、
前記第１側板と前記第２側板とが前記第１折曲線で折り曲げられている前記第１棚板を挟んで閉じられている折畳状態から前記第２側板が前記第１側板に対して回動して、前記第１側板と前記第２側板とが展開される展開状態に遷移すると、前記第１の棚板が、前記第１側板及び前記第２側板に対して回動することによって展開される、陳列棚。
【請求項２】
前記第１側板上において、前記第１回転軸と離間した位置で上下方向に延びる第２回転軸において前記第１側板に対して回動可能に連結されるとともに、前記第２側板上において、前記第１回転軸と離間した位置で上下方向に延びる第３回転軸において前記第２側板に対して回動可能に連結されている第３側板をさらに備え、
前記第２側板は、前記第１回転軸と前記第３回転軸との中央で上下方向に延びる第２折曲線で折り曲げ可能であり、
前記第１棚板の前記他端は、前記第２折曲線より前記第１回転軸側で前記第２側板に連結されており、
前記第２側板は、前記折畳状態では前記第２折曲線で折り曲げられており、前記折畳状態から前記展開状態に遷移すると、前記第１側板及び前記第３側板に対して回動することによって展開される、請求項１に記載の陳列棚。
【請求項３】
一端が前記第１側板に回動可能に連結されており、前記第１棚板の前記第１折曲線よりも前記第１側板側で前記第１棚板に固定されている第２棚板をさらに備え、
前記第２棚板は、前記折畳状態から前記展開状態に遷移する際に、前記第１棚板が前記第１側板に対して回動するのに伴って、前記第１側板に対して回動する、請求項１又は２に記載の陳列棚。
【請求項４】
前記第１側板は、前記第２棚板を収容する収容穴を有しており、
前記第２棚板は、前記折畳状態で、前記収容穴に収容されて、前記第１側板と同一板上に配置されている、請求項３に記載の陳列棚。
【請求項５】
前記第１棚板は、前記展開状態において、前記第１側板、前記第２側板及び前記第３側板で画定される領域のうちの一部の領域を開けて閉塞し、
前記第２棚板は、前記展開状態において、前記一部の領域を閉塞する、請求項３又は４に記載の陳列棚。
【請求項６】
前記第１棚板は、前記第１回転軸に向かって下方に傾斜している、請求項１から５のいずれか一項に記載の陳列棚。
【発明の詳細な説明】
【技術分野】
【０００１】
本明細書は、折り畳み可能な陳列棚に関する技術を開示する。
【背景技術】
【０００２】
特許文献１に、ダンボール等の厚紙で構成され、扁平に折り畳み可能な組立棚が開示されている。組立棚は、背板、左側板、右側板及び棚板を備える。背板は、上下方向に走る中央折線で、折り曲げることが可能である。棚板は、下棚板と上棚板の二重構造になっている。下棚板は、左右方向の中央の中央折線で折れ曲がるように構成されており、下棚板の左右は、それぞれ左側板と右側板に接着されている。下棚板は、右半分の下棚板固定部が上棚板に接着されている一方、左半分の下棚板回動部は上棚板に接着されていない。
【０００３】
扁平な折畳状態では、中央折線で折り曲げられた背板が、左右側板に挟まれている。そして、扁平な折畳状態から左側板と右側板とを離反するように広げることによって、背板と下棚板が展開され、下棚板に接着されている上棚板が垂直方向から倒れこみ、水平状態になることによって組立棚が組み立てられる。
【先行技術文献】
【特許文献】
【０００４】
【特許文献１】特開２０１３−２５５６３１号公報
【発明の概要】
【発明が解決しようとする課題】
【０００５】
上記の組立棚では、棚板を支持するために、少なくとも互いに離間して対向する左右の側板が必須の構成であり、棚の外形は立方体となる。例えば、店舗で棚に商品を陳列する場合、限られたスペースを有効利用して商品を陳列することが求められる場合がある。
【０００６】
本明細書では、スペースを有効利用し得る陳列棚を提供する。
【課題を解決するための手段】
【０００７】
本明細書で開示される技術は、折り畳み可能な陳列棚に関する。陳列棚は、第１側板と、第２側板と、第１棚板と、を備える。第２側板は、第１の側板上で上下方向に延びる第１回転軸において第１側板に対して回動可能に連結されている。第１棚板は、一端が第１側板に回動可能に連結されるとともに他端が第２側板に回動可能に連結されている。また、第１棚板は、一端と他端との間で第１回転軸から延びる第１折曲線において折り曲げ可能である。第１側板と第２側板とが第１折曲線で折り曲げられている第１棚板を挟んで閉じられている折畳状態から第２側板が第１側板に対して回動して、第１側板と第２側板とが展開される展開状態に遷移すると、第１の棚板が、第１側板及び第２側板に対して回動することによって展開される。
【０００８】
この構成では、回動可能に連結されている第１側板と第２側板とによって、棚板が支持される。そして、第１側板に対して第２側板を回動させることによって、陳列棚を組み立てることができる。陳列棚は、少なくとも第１側板と第２側板とを備えていれば棚板を支持することができ、互いに離間して対向する左右の側板を備える必要がない。このため、例えば外形が三角柱形状の陳列棚を構成することができる。また、上記の陳列棚を２個以上組み合わせることによって、様々な形状の棚を構成することができる。この構成によれば、立方体形状の棚では設置しづらいスペース（例えば、店舗内の角のスペース）に好適に配置することができる棚を構成することができる。これにより、スペースに合わせて陳列棚を構成することができる。
【図面の簡単な説明】
【０００９】
【図１】第１実施例の陳列棚の斜視図を示す。
【図２】第１実施例の陳列棚を上方から見た図を示す。
【図３】第１実施例の陳列棚の棚部を下方から見た図を示す。
【図４】第１実施例の陳列棚を構成する平板の展開図を示す。
【図５】第１実施例の棚板の展開図を示す。
【図６】第１実施例の折畳状態の陳列棚の正面図を示す。
【図７】第１実施例の折畳状態から展開状態に遷移する途中の陳列棚の斜視図を示す。
【図８】第１実施例の折畳状態から展開状態に遷移する途中の陳列棚の棚板の動作を説明するための図を示す。
【図９】第１実施例の陳列棚を組み合わせて構成した陳列棚を上方から見た図を示す。
【図１０】第２実施例の陳列棚の斜視図を示す。
【図１１】第２実施例の陳列棚の分解斜視図を示す。
【発明を実施するための形態】
【００１０】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１１】
（特徴１）本明細書で開示される陳列棚は、第１側板上において、第１回転軸と離間した位置で上下方向に延びる第２回転軸において第１側板に対して回動可能に連結されるとともに、第２側板上において、第１回転軸と離間した位置で上下方向に延びる第３回転軸において第２側板に対して回動可能に連結されている第３側板を備えていてもよい。第２側板は、第１回転軸と第３回転軸との中央で上下方向に延びる第２折曲線で折り曲げ可能であってもよい。第１棚板の他端は、第２折曲線より第１回転軸側で第２側板に連結されていてもよい。第２側板は、折畳状態では第２折曲線で折り曲げられており、折畳状態から展開状態に遷移すると、第１側板及び第３側板に対して回動することによって展開されてもよい。この構成によれば、第３側板を配置することによって、陳列棚を補強することができる。
【００１２】
（特徴２）本明細書で開示される陳列棚は、一端が第１側板に回動可能に連結されており、第１棚板の第１折曲線よりも第１側板側で第１棚板に固定されている第２棚板を備えていてもよい。第２棚板は、折畳状態から展開状態に遷移する際に、第１棚板が第１側板に対して回動するのに伴って、第１側板に対して回動してもよい。この構成によれば、棚板を複数枚構造にすることによって、棚板を補強することができる。また、第２棚板を第１棚板の展開に伴って、第１側板に対して回動させることができる。これにより、第２側板を第１側板に対して回動させることによって、陳列棚を組み立てることができる。
【００１３】
（特徴３）本明細書で開示される陳列棚では、第１側板は、第２棚板を収容する収容穴を有していてもよい。第２棚板は、折畳状態で、収容穴に収容されて、第１側板と同一板上に配置されていてもよい。この構成によれば、一枚の板から第１側板と第２棚板とを作製することができる。
【００１４】
（特徴４）本明細書で開示される陳列棚では、第１棚板は、展開状態において、第１側板、第２側板及び第３側板で画定される領域のうちの一部の領域を開けて閉塞していてもよい。第２棚板は、展開状態において、一部の領域を閉塞してもよい。この構成によれば、第１棚板と第２棚板とによって、第１側板から第３側板で画定される領域の全体を閉塞することができる。これにより、陳列棚に載置される物品が落下することを抑制することができる。
【００１５】
（特徴５）本明細書で開示される陳列棚では、第１棚板は、第１回転軸に向かって下方に傾斜していてもよい。この構成によれば、第１棚板に載置された物品が第１棚板上を第１回転軸から離れる方向に移動することを抑制することができる。これにより、第１棚板に載置された物品が、第１回転軸と反対側に位置する第１棚板の端部から第１側板と第２側板との間を通過して落下することを抑制することができる。
【実施例】
【００１６】
（第１実施例）
図１に示す陳列棚１０は、例えばスーパーマーケットやドラッグストア等の小売店舗において、商品を陳列するために利用される。陳列棚１０は、段ボール等の厚紙で作製されている。なお、陳列棚１０は、プラスチック、樹脂等の紙以外の材料で作製されていてもよい。陳列棚１０は、折り畳み可能に構成されている。
【００１７】
陳列棚１０は、水平に広がる３段の棚部１２，１４，１６を有する。棚部１２，１４，１６は、鉛直方向に等間隔に配置されている。なお、棚の段数は２段以下であってもよいし、４段以上であってもよい。また、棚部の間隔は、等間隔でなくてもよく、例えば、棚部１４と棚部１６との間隔が、棚部１２と棚部１４との間隔よりも大きくてもよい。
【００１８】
陳列棚１０は、棚部１２，１４，１６以外に、側板２２，２４，２６を備える。側板２２は、長方形の平板形状を有する。側板２２の鉛直方向の長辺３０には、側板２４が連結されている。側板２４は、２枚の部分板２４ａ，２４ｂを有する。部分板２４ａと部分板２４ｂは、それぞれ、長方形の平板形状を有する。部分板２４ａは、一方の長辺において、長辺３０を回転軸として、側板２２に対して回動可能に接続されている。部分板２４ａの側板２２と反対側の長辺には、部分板２４ｂが連結されている。部分板２４ｂは、部分板２４ａの長手方向の全長に亘って配置される接着部２４ｃにおいて、部分板２４ａに接着されている。部分板２４ｂは、接着部２４ｃの一方の端辺を回転軸として、部分板２４ａに対して回動可能に配置されている。
【００１９】
部分板２４ｂの部分板２４ａと反対側の長辺３２には、側板２６が連結されている。側板２６は、長方形の平板形状を有する。側板２６は、一方の長辺において、長辺３２を回転軸として、部分板２４ａに対して回動可能に接続されている。側板２６は、他方の長辺において、側板２２の長辺３４を回転軸として、側板２２に回動可能に接続されている。側板２６は、側板２２、２４とともに正三角形の筒形状を構成している。なお、側板２２〜２６は、正三角形の筒形状に限られず、二等辺三角形や直角三角形の筒形状であってもよい。
【００２０】
側板２６は、２個の貫通孔２６ａと１個の切欠き２６ｂを有する。切欠き２６ｂは、側板２６の上端に配置されている。切欠き２６ｂの下方には、２個の貫通孔２６ａが、鉛直方向に並んで配置されている。
【００２１】
切欠き２６ｂの下辺２６ｃには、棚部１２が配置されている。棚部１２は、棚板１２ａ，１２ｂを備える。棚板１２ｂは、切欠き２６ｂの下辺２６ｃに連結されている。棚板１２ｂは、下辺２６ｃを回転軸として、側板２６に回動可能に接続されている。棚板１２ｂの下辺２６ｃ側の一部は、切欠き２６ｂと同一形状を有する。棚板１６ｂは、側板２６を構成する平板１００（図４参照）から貫通孔２６ａを形成する際に切り抜かれた部分によって構成されている。
【００２２】
図２に示すように、棚板１２ｂは、下辺２６ｃから側板２２，２４のそれぞれまで延びており、側板２２，２４のそれぞれに当接している。棚板１２ｂは、側板２２，２４のそれぞれに当接する当接部１２ｄ，１２ｄを有する。当接部１２ｄは、側板２２，２４のそれぞれに平行に折れ曲がって、全面に亘って側板２２，２４に当接している。当接部１２ｄは、側板２２，２４に固定されていない。当接部１２ｄは、側板２２，２４の変形や位置関係に応じて、折れ曲がる角度が変化する。これにより、棚板１２ｂと側板２２，２４との当接位置で、寸法誤差等によって棚板１２ｂと側板２２，２４との間に隙間が生じることを防止することができる。
【００２３】
棚板１２ｂの下方には、棚板１２ａが配置されている。図３は、棚部１２を下方から見た図を示す。棚板１２ａは、側板２２，２４，２６で画定される領域（即ち正三角形の領域）のうち、一部の領域５０を除いて、閉塞する形状を有する。棚板１２ａは、一方の端辺で側板２４に接着されており、他方の端辺で側板２６に接着されている。棚板１２ａは、両端辺の間に位置する折曲線１２ｃによって、折り曲げ可能である。棚板１２ａのうち、折曲線１２ｃよりも側板２６側の上面には、棚板１２ｂが接着されている。棚板１２ａは、水平に位置する状態から、側板２２及び側板２４に対して下方に回動することによって、２つに折れ曲がる。
【００２４】
領域５０は、棚板１２ｂによって閉塞されている。これにより、棚板１２ａ，１２ｂは、側板２２，２４，２６で画定される領域の全体を閉塞する。
【００２５】
上方の貫通孔２６ａの下辺には、棚部１４が配置されている。棚部１４は、棚板１４ａ，１４ｂを有する。棚板１４ｂは、下方の貫通孔２６ａの下辺２６ｃに連結されている。棚板１４ｂは、貫通孔２６ａと同一形状を有する。棚板１４ｂは、側板２６を構成する平板から貫通孔２６ａを形成する際に切り抜かれた部分によって構成されている。棚板１４ｂの下方には、棚板１４ａが配置されている。棚板１４ａは、棚板１２ａと同様の構成を有する。
【００２６】
下方の貫通孔２６ａの下辺には、棚部１６が配置されている。棚部１６は、棚板１６ａ，１６ｂを有する。棚板１６ｂは、棚板１４ｂと同様に、下辺２６ｃを回転軸として、側板２６に回動可能に接続されている。棚板１６ｂは、貫通孔２６ａと同一形状を有する。棚板１６ｂは、側板２６を構成する平板から貫通孔２６ａを形成する際に切り抜かれた部分によって構成されている。棚板１６ｂの下方には、棚板１６ａが配置されている。棚板１６ａは、棚板１２ａと同様の構成を有する。
【００２７】
図４、図５に示すように、陳列棚１０は、１枚の平板１００（図４）と、棚板１２ａ，１４ａ，１６ａ（図５）と、で構成されている。図４に示すように、平板１００には、側板２２，２４，２６と、棚板１２ｂ，１４ｂ，１６ｂと、が含まれる。この構成によれば、平板の厚紙を例えばプレス加工等によって成形することによって、陳列棚１０の各部１２ｂ，１４ｂ，１６ｂ，２２，２４，２６を含む平板１００を作製することができる。
【００２８】
図５に示すように、棚板１２ａ（１４ａ，１６ａ）は、棚板１２ｂ（１４ｂ，１６ｂ）との接着部ＡＤ１と、側板２６との接着部ＡＤ２と、部分板２４ａとの接着部ＡＤ３と、を有する。接着部ＡＤ１は、斜線で表されるように、折曲線１２ｃ（１４ｃ，１６ｃ）よりも側板２６側に位置する。接着部ＡＤ２は、斜線で表されるように、側板２６に全面に亘って接着される。接着部ＡＤ３は、斜線で表されるように、部分板２４ｂと接触する部分が部分板２４ｂに接着される。
【００２９】
平板１００と棚板１２ａとを用いて陳列棚１０を作製する場合、平板１００に対して、側板２２を側板２６に対して長辺３４回りに回動させるとともに、部分板２４ｂを側板２６に対して長辺３２回りに回動させる。そして、棚板１２ａ（１４ａ，１６ａ）を、部分板２４ｂ、側板２６及び棚板１２ｂ（１４ｂ，１６ｂ）のそれぞれに接着させる。さらに、部分板２４ａを、側板２２に対して長辺３０回りに回動させて、接着部２４ｃを部分板２４ｂに接着する。さらに、棚板１２ａのこれにより接着部ＡＤ１に棚板１２ｂを接着することによって、図１に示す陳列棚１０が作製される。
【００３０】
陳列棚１０は、図１に示す展開状態と図６に示す折畳状態との間を遷移することができる。図６に示す折畳状態の陳列棚１０では、側板２４の部分板２４ａと部分板２４ｂとが２つに折り畳まれており、展開状態での部分板２４ａの外側面と部分板２４ｂの外側面とが接触している。これにより、側板２２と側板２６とは、側板２４及び棚板１２ａを挟んで折り畳まれている。棚板１２ａは、展開状態の下側面同士が互いに接触するように（即ち上方から見て山折りに）折曲線１２ｃで２つに折り畳まれている。棚板１２ｂは、平板１００と同様に、側板２６と同一板上に配置されている。
【００３１】
折畳状態の陳列棚１０から、長辺３４を回転軸に側板２２を側板２６に対して回動させる。これに伴って、図７に示すように、側板２４の部分板２４ａは、接着部２４ｃを回転軸に部分板２４ｂに対して回動して側板２４が展開される。さらに、部分板２４ｂが長辺３２を回転軸として、側板２６に対して回動される。
【００３２】
図８は、折畳状態から展開状態に移行する途中の棚部１２近傍の状態を示す。図８では、側板２２がとり外れた状態の陳列棚１０が示されている。側板２２を側板２６に対して回動させると、部分板２４ｂが側板２６に対して回動する。この結果、両端が部分板２４ａと側板２６とのそれぞれに接着されている棚板１２ａは、折曲線１２ｃより部分板２４ａ側の部分が部分板２４ａに対して下方に向かって回動し、折曲線１２ｃより側板２６側の部分が側板２６に対して下方に向かって回動する。これに伴って、折曲線１２ｃより側板２６側の部分に接着されている棚板１２ｂが、側板２６に対して下辺２６ｃを回転軸として下方に回動する。側板２４が展開されると、棚板１２ａ，１２ｂは、水平位置まで移動される。これにより、陳列棚１０は、折畳状態から展開状態に移行される。
【００３３】
陳列棚１０では、使用者は、側板２２を側板２６に対して回動させることによって、陳列棚１０を、折畳状態から展開状態に移行することができる。このため、陳列棚１０を搬送する際や保管する際には折畳状態にしておき、使用するタイミングで、容易に折畳状態から展開状態に遷移させて陳列棚１０を使用することができる。
【００３４】
また、陳列棚１０は、外形が三角柱形状を有する。この構成によれば、例えば、店舗内の角のスペースのように、立方体形状の棚を配置したのでは、棚上の商品が店舗内の中央部に向くように配置することが難しい状況でも、陳列棚１０を用いることによって、商品を店舗の中央に向けて陳列することができる。
【００３５】
また、陳列棚１０では、例えば、図９に示すように、２個の陳列棚１０の側板２２の外側面同士を接触させて、四角柱状に配置することも可能である。この場合、側板２２を取り外して、２個の陳列棚１０の棚部１２，１４，１６のそれぞれを連結してもよい。同様に、６個の陳列棚１０を用いて、六角柱状の棚を構成してもよい。陳列棚１０が、三角柱形状を有するために、複数個の陳列棚１０を様々に組み合わせることによって、様々な形状の陳列棚を構成することができる。
【００３６】
（対応関係）
本実施例の側板２６が「第１側板」の一例であり、側板２４が「第２側板」の一例であり、側板２２が「第３側板」の一例である。棚板１２ａ，１４ａ，１６ａのそれぞれが、「第１棚板」の一例であり、棚板１２ｂ，１４ｂ，１６ｂのそれぞれが、「第２棚板」の一例である。長辺３２が「第１回転軸」の一例であり、長辺３４が「第２回転軸」の一例であり、長辺３０が「第３回転軸」の一例である。折曲線１２ｃが「第１折曲線」の一例であり、接着部２４ｃが「第２折曲線」の一例である。貫通孔２６ａが「収容穴」の一例である。
【００３７】
（第２実施例）
図１０、図１１を参照して、第２実施例の陳列棚１１０を説明する。陳列棚１１０は、鉛直方向に互いに等間隔に配置される３段の棚部１１２，１１４，１１６を有する。なお、棚の段数は２段以下であってもよいし、４段以上であってもよい。また、棚部の間隔は、等間隔でなくてもよい。
【００３８】
陳列棚１１０は、棚部１１２，１１４，１１６以外に、側板１２４，１２６を備える。側板１２６は、長方形の平板形状を有する。側板１２６の鉛直方向の長辺１３２には、側板１２４が、長辺１３２を回転軸として回動可能に連結されている。側板１２４は、側板１２６と同一形状を有する。展開状態の陳列棚１１０では、側板１２４は、側板１２６に対して垂直に配置されている。
【００３９】
側板１２４と側板１２６との間には、３個の棚部１１２，１１４，１１６が配置されている。図１１は、棚部１１２を分解した分解斜視図を示す。図１１に示すように、棚部１１２は、棚板１１２ａ，１１２ｂを備える。棚板１１２ａ，１１２ｂは、水平面に対して長辺１３２に向けて下方に傾斜している。この構成によれば、棚部１１２に載置された物品が、棚部１１２上を長辺１３２から離れる方向に移動することを抑制することができる。これにより、棚部１１２上の物品が、長辺１３２と反対側に位置する棚部１１２の端辺、即ち後述する補強部１１２ｄ側の端辺から側板１２４，１２６の間を通過して落下することを抑制することができる。
【００４０】
棚板１１２ａは、一方の端に位置する接着部ＡＤ１２と、他方の端に位置する接着部ＡＤ１３と、を有する。接着部ＡＤ１２は、図１１に示す状態から下方に折り曲げられて側板１２４と平行に配置され、側板１２４に接着される。接着部ＡＤ１３は、図１１に示す状態から下方に折り曲げられて側板１２６と平行に配置され、側板１２６に接着される。棚板１１２ａは、両端辺の間に位置する折曲線１１２ｃにおいて、２つに折り曲げ可能である。棚板１１２ａのうち、折曲線１１２ｃよりも側板２６側の接着部ＡＤ１１には、棚板１１２ｂが接着されている。棚板１１２ａは、展開状態から折畳状態に遷移する際に、側板１２４及び側板１２６に対して上方に回動することによって、２つに折り畳まれる。
【００４１】
棚板１１２ｂは、展開状態で棚板１１２ａ上に配置される。棚板１１２ｂは、折曲線１１２ｅにおいて、２つに折り曲げ可能である。折曲線１１２ｅは、折曲線１１２ｃに平行に配置されており、折曲線１１２ｃよりも側板１２６側に位置する。棚板１１２ｂは、折曲線１１２ｅよりも側板１２４側で、棚板１１２ａの接着部ＡＤ１１に接着している。
【００４２】
棚板１１２ｂは、側板１２４，１２６の間に位置する補強部１１２ｄを有する。補強部１１２ｄは、棚板１１２ｂの上面に対して鋭角に傾斜するように、図１１に示す状態から下方に折り曲げられる。なお、図示省略するが、側板１２４，１２６は、補強部１１２ｄの端に係合して、補強部１１２ｄを位置決めする。
【００４３】
棚部１１４，１１６は、棚部１１２と同様の構成を有する。即ち、棚部１１４，１１６は、二重に重なる棚板を有する。
【００４４】
陳列棚１１０の折畳状態では、第１実施例と同様に、側板１２４，１２６が２つに折り畳まれた棚板１１２ａ，１１２ｂ及び棚部１１４，１１６の棚板を挟んだ状態で、折り畳まれている。このとき、各棚板１１２ａ・・・は、第１実施例の棚板１２ａ・・・と同様に、上方から見て山折りに折り畳まれている。陳列棚１１０では、第１実施例の陳列棚１０を折畳状態から展開状態に遷移されるのと同様にすることによって、折畳状態から展開状態に遷移されることができる。具体的には、折畳状態の陳列棚１１０の側板１２４を、長辺１３２を回転軸として側板１２６に対して回動させる。これにより、各棚部１１２，１１４，１１６の下側の棚板１１２ａ・・・が、側板１２４，１２６の展開に合わせて、側板１２４，１２６に対して下方に回動する。そして、各棚部１１２，１１４，１１６の上側の棚板１１２ｂ・・・は、各棚部１１２，１１４，１１６の下側の棚板１１２ａ・・・の回動に追従して展開される。この結果、図１０に示す陳列棚１１０が展開状態に遷移される。なお、棚板１１２ｂの補強部１１２ｄは、棚板１１２ｂが平板状に展開された後で下方に折り曲げられる。これにより、棚板１１２ｂが補強される。
【００４５】
陳列棚１１０では、第１実施例の陳列棚１０と同様に側板１２４，１２６を回動させることによって、陳列棚１１０を構成することができる。この構成によれば、第１実施例の陳列棚１０と同様の効果を奏することができる。
【００４６】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００４７】
（変形例）
（１）上記の各実施例では、棚部１２，１１２等は、２枚の棚板１２ａ，１２ｂ等が重なり合って配置されている。しかしながら、棚板の枚数は、２枚に限られず、棚板１２ａ，１１２ａ等の一枚であってもよいし、３枚以上の棚板を有していてもよい。
【００４８】
（２）上記の各実施例では、棚板１２ａと側板２４とは、接着されている。しかしながら、棚板１２ａと側板２４との固定構造は接着に限られず、様々な固定構造を利用することが可能である。例えば、棚板１２ａの端部が側板２４に形成された切欠きに挿入されることによって、棚板１２ａと側板２４とが固定されていてもよいし、テープ等の固形の接着部材を用いて、棚板１２ａと側板２４とが固定されていてもよい。他の部材同士の固定構造も同様である。
【００４９】
（３）上記の第１実施例では、側板２２，２４，２６及び棚板１２ｂが一枚の平板１００で構成されている。しかしながら、側板２２，２４，２６及び棚板１２ｂの一部は、別の平板で構成されていてもよい。この場合、分離された各部を接着等によって一体的に構成してもよい。
【００５０】
（４）上記の第１実施例では、側板２４は、側板２６の長辺３２に接続されている。しかしながら、側板２４は、側板２６の長辺３２，３４の中間位置に接続されていてもよい。このとき、側板２４は、両端の長辺の中間位置で側板２６に接続されていてもよい。例えば、展開状態の側板２４，２６を上方から見たときに、側板２４と側板２６とが十字状に配置されていてもよい。このとき、棚部１２等は、側板２４と側板２６との交差位置を挟んだ両側に配置されていてもよい。
【００５１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５２】
１０：陳列棚、１２，１４，１６：棚部、１２ａ，１２ｂ，１４ａ，１４ｂ，１６ａ，１６ｂ：棚板、１２ｃ：折曲線、１２ｄ：当接部、１４：棚部、２２，２４，２６：側板、２４ａ，２４ｂ：部分板、２４ｃ：接着部
【図１】
2017006366.tif 000003
【図２】
2017006366.tif 000004
【図３】
2017006366.tif 000005
【図４】
2017006366.tif 000006
【図５】
2017006366.tif 000007
【図６】
2017006366.tif 000008
【図７】
2017006366.tif 000009
【図８】
2017006366.tif 000010
【図９】
2017006366.tif 000011
【図１０】
2017006366.tif 000012
【図１１】
2017006366.tif 000013